(57)【要約】  【課題】  特別なユーザー操作なしで、記録コンテンツの必要部分と不要部分の変化点を識別する変化点情報を記録することを可能とする。  【解決手段】  デジタル信号を記録メディアに記録再生するデジタル信号記録再生装置において、通常再生と特殊再生の少なくとも２つの再生モードと、前記通常再生と前記特殊再生とを切り換える操作パネル１１と、前記通常再生と前記特殊再生との変化点を示す変化点情報を光ディスク１２に記録する変化点情報記録手段を備える。【選択図】  図１
2005348378.tif 000002
【特許請求の範囲】
【請求項１】
デジタル信号を記録メディアに記録再生するデジタル信号記録再生装置において、通常再生と特殊再生の少なくとも２つの再生モードと、前記通常再生と前記特殊再生とを切り換えるユーザーインターフェースと、前記通常再生と前記特殊再生との変化点を示す変化点情報を前記記録メディアに記録する変化点情報記録手段を備えたことを特徴とするデジタル信号記録再生装置。
【請求項２】
デジタル信号を記録メディアに記録再生するデジタル信号記録再生装置において、通常再生と特殊再生の少なくとも２つの再生モードと、前記通常再生と前記特殊再生とを切り換えるユーザーインターフェースと、前記通常再生から前記特殊再生への変化点を示す第１の変化点情報と、前記特殊再生から前記通常再生への変化点を示す第２の変化点情報を前記記録メディアに記録する変化点情報記録手段を備えたことを特徴とするデジタル信号記録再生装置。
【請求項３】
デジタル信号を記録メディアに記録再生し、通常再生と特殊再生の少なくとも２つの再生モードを備えたデジタル信号記録再生装置の制御方法であって、ユーザーがユーザーインターフェースを用いて前記通常再生から前記特殊再生へ切り換えるステップ（Ａ）と、前記通常再生から前記特殊再生への変化点を識別する第１の変化点情報を前記記録メディアに記録するステップ（Ｂ）と、ユーザーが前記ユーザーインターフェースを用いて前記特殊再生から前記通常再生へ切り換えるステップ（Ｃ）と、前記特殊再生から前記通常再生への変化点を識別する第２の変化点情報を前記記録メディアに記録するステップ（Ｄ）と、
を包含するデジタル信号記録再生装置の制御方法。
【請求項４】
デジタル信号を記録メディアに記録再生し、通常再生と特殊再生の少なくとも２つの再生モードを備えたデジタル信号記録再生装置の制御方法であって、ユーザーがユーザーインターフェースを用いて前記通常再生から前記特殊再生へ切り換えるステップ（Ａ）と、ユーザーが前記ユーザーインターフェースを用いて前記特殊再生から前記通常再生へ切り換えるステップ（Ｂ）と、前記通常再生が継続している時間を計測して閾値を越えたか判断するステップ（Ｃ）と、前記ステップ（Ｃ）で前記通常再生の継続時間が前記閾値を越えた場合に、前記通常再生から前記特殊再生への変化点を識別する第１の変化点情報と、前記特殊再生から前記通常再生への変化点を識別する第２の変化点情報とを前記記録メディアに記録するステップ（Ｄ）と、
を包含するデジタル信号記録再生装置の制御方法。
【発明の詳細な説明】
【技術分野】
【０００１】
本発明は、テレビ放送番組などを記録再生するデジタル信号記録再生装置に関するものである。
【背景技術】
【０００２】
近年、テレビ放送番組などを記録再生するビデオレコーダにおいては、MPEGエンコードしたデジタルAV信号をDVDやHDDといったディスクメディアに記録するディスクレコーダが広く普及し始めている。ディスクレコーダは、ディスクのランダムアクセス性を利用して、シーンカットや並べ替えなどの編集が容易であるという特徴を備えている。この特徴を利用した機能として、CMなどの不要な部分を識別するマーカー信号を記録して、その不要部分を削除したり再生時にスキップするなどの機能が実用化されている。
【０００３】
CMなどの不要な部分にマーカー信号を記録するためには、ユーザーが再生画像を確認しながら不要部分を見つけて、そこにユーザー自身が意識的にマーカー信号を記録するという操作が必要になる。例えば、現在実用化されているDVDビデオレコーダにおいては、リモコンにマーカーを記録するための専用ボタンが備えてあり、ユーザーが再生映像を確認しながらマーカーを記録したい位置でリモコンのマーカーボタンを押下する、というユーザーの意図的な作業が不可欠である。マーカー信号は記録された信号の特定の位置を表す情報であり、マーカーによって区切られた区間はチャプターと呼ばれている。この様子を表したのが図６である。記録コンテンツの先頭からの時間t61にマーカー６１が記録され、同様にt62にマーカー６２が、t63にマーカー６３が、t64にマーカー６４が記録されて、記録コンテンツはチャプター６１、チャプター６２、チャプター６３、チャプター６４、チャプター６５という５つのチャプターに区切られる。これら５つのチャプターの中から、ユーザーが不要なものを選択するという作業が必要となる。
【０００４】
また、不要な部分がCMや特定のシーンのみということであれば、記録時にテレビ放送の音声属性情報（ステレオ／デュアルモノなど）の変化点やシーンの変化点に自動的にマーカー信号を記録してCM部分やシーンの切り替わりを識別するという方法も提案されている（例えば、特許文献１参照。）。ただしこの方法では、CM以外の番組本編における不要な部分や、シーンの途中にマーカー信号を自動的に記録することはできない。またこの方法では、例えば音声属性情報が番組本編とCM部分で変化しないといった、記録する放送信号においてCM部分が識別できない場合はマーカー信号を記録することができない。
【特許文献１】特開２０００−３５４２２５号公報
【発明の開示】
【発明が解決しようとする課題】
【０００５】
解決しようとする問題点は、CMなどの不要部分を識別するマーカー信号を記録するためには、ユーザー自身が再生画像を確認しながら意識的にマーカー信号を記録するという作業を行わなければならない点である。また、CM以外の番組本編における不要部分や、シーンの途中の不要部分や、記録する放送信号においてCM部分が識別できない場合には自動的にマーカー信号を記録することができない点である。
【０００６】
そこで、本発明は、上記問題点を考慮し、記録された信号の不要部分にユーザーが意図的にマーカー信号を記録する操作をしなくても、記録信号の必要部分と不要部分の変化点を識別する変化点情報を記録メディアに記録することを目的とする。
【課題を解決するための手段】
【０００７】
上記目的を達成するために、本発明は、CMなどの不要部分を識別するために、通常再生と特殊再生を切り換えるユーザーインターフェースを備え、そのユーザーインターフェースを用いてユーザーが特殊再生で視聴した区間を識別するための通常再生と特殊再生の変化点情報を記録メディアに記録することを最も主要な特徴とする。
【発明の効果】
【０００８】
本発明のデジタル信号記録再生装置およびデジタル信号記録再生方法は、ユーザーが特殊再生で視聴した区間を識別するための通常再生と特殊再生の変化点情報を記録メディアに記録して、それを元に特殊再生された部分を不要部分と判断するため、ユーザーがCMなどの不要部分に意識的にマーカー信号を記録するといった作業が不要になるという利点がある。また、記録する放送信号においてCM部分が識別できない場合や、番組本編における不要部分を識別したい場合でも、自動的に必要部分と不要部分の変化点を示す変化点情報を記録メディアに記録することができるという利点がある。
【発明を実施するための最良の形態】
【０００９】
下記に示すように、記録された信号の不要部分にユーザーが意図的にマーカー信号を記録する操作をしなくても、記録信号の必要部分と不要部分の変化点を識別する変化点情報を記録メディアに記録することを実現した。
【００１０】
（実施の形態）
図１は、本発明装置の実施の形態の構成を示したブロック図である。１はテレビ放送を受信選局するチューナーである。５はデジタル信号を記録再生するディスクドライブであり、ディスクドライブ５の中には記録メディアとして光ディスク１２が入っている。２はMPEGエンコーダで、チューナー１から出力されるアナログ映像音声信号をデジタル化しMPEG方式で圧縮してMPEGフォーマットのデジタル信号を作成する。３は記録制御部であり、記録制御部３は、記録再生に必要な管理情報を作成してMPEGエンコーダ２からのMPEG信号に付加して光ディスク１２への記録フォーマットに変換するとともに、後述するCPU１０からの指令に従ってディスクドライブ５への信号の記録開始／停止を制御する機能ももつ。記録制御部３で作成される管理情報の内容は、記録番組名や録画日時などの記録コンテンツの内容を表す情報や、複数の記録コンテンツを識別するためのコンテンツIDや、記録コンテンツの特定位置を検索するためのタイムコード（コンテンツ先頭からの時間）とディスク上のアドレスの対応を表す検索情報や、特殊再生時に最低限再生される信号（例えば、MPEGのI,Pピクチャ）が記録されたアドレスを表す特殊再生情報などが含まれる。記録制御部３から出力されたデジタル信号は４のバッファメモリを経由して５のディスクドライブに送られ、ディスクドライブ５に入っている光ディスク１２に記録される。これらの記録制御部３とバッファメモリ４とディスクドライブ５と後述するCPU１０とメモリ１３で変化点情報記録手段を構成している。
【００１１】
６の再生制御部は、後述するCPU１０からの指令に従ってディスクドライブ５から信号を読み出す位置や速度の制御を行う。再生制御部６はディスクドライブ５から管理情報を読み出して、所望のコンテンツIDの所望のタイムコードに関連付けられたディスク上のアドレスを指定することにより、所望の位置からデータを再生させることができる。ディスクドライブ５から再生されたデータはバッファメモリ４を経由して再生制御部６に入力され、再生制御部６は再生データの中から記録制御部３で付加した管理情報を削除してMPEGフォーマットに変換したデータを７のMPEGデコーダに出力する。MPEGデコーダ７は再生制御部６からのMPEG信号をMPEGデコードして８のAVデコーダに送る。AVデコーダ８はMPEGデコーダ７からのデジタル信号をアナログ映像音声信号に変換して９のAV出力端子から出力する。
【００１２】
１０はデジタル信号記録再生装置のシステムを制御するCPUである。CPU１０に接続されたメモリ１３にはCPU１０に実行させるプログラムを格納したROMやプログラム実行時に必要なRAMなどが含まれる。CPU１０と記録制御部３はデータアドレスバスで接続されており、CPU１０は記録制御部３の制御レジスタに制御情報を送ることで記録制御部３に対して記録開始／停止や管理情報の記録といった記録全般の制御を行うとともに、記録制御部３が光ディスク12に記録している信号のタイムコードやディスク上のアドレスといった記録情報を格納するレジスタを読み出して記録制御部３で記録される信号の監視を行う。またCＰＵ１０と再生制御部６はデータアドレスバスで接続されており、CPU１０は再生制御部６の制御レジスタに制御情報を送ることで再生制御部６を制御するとともに、再生制御部６がディスクドライブ５から再生している信号のタイムコードやディスク上のアドレスといった再生情報を格納するレジスタを読み出して再生制御部６で再生される信号の監視も行う。また、バッファメモリ４やディスクドライブ５に内蔵されているドライブ制御用のCＰＵ（図示せず）もデータアドレスバスで記録制御部３や再生制御部６やCPU１０と接続されており、バッファメモリ４やディスクドライブ５は記録制御部３や再生制御部６やCPU１０から制御することが可能である。また、CPU１０は光ディスク１２に記録されている管理情報をディスクドライブ５から読み出すことも出来る。
【００１３】
１１はデジタル信号記録再生装置を操作するためのユーザーインターフェースである操作パネルである。操作パネル１１には、記録、正方向および逆方向の再生、停止、早送り再生、早戻し再生などのボタンがあり、各ボタンが押下された情報はCPU１０に送られ、CPU１０では押下されたボタン種類を認識してそれに応じた動作をする。具体的には、操作パネル１１からCPU１０に接続された信号線に、押下されたボタン毎に異なる電圧値を出力し、CPU１０ではその電圧値の違いから押下されたボタンの種類を判別する。ユーザーをこれらのボタンを押下することでデジタル信号記録再生装置を操作する。
【００１４】
本実施の形態におけるデジタル信号記録再生装置においては、記録制御部３および再生制御部６とバッファメモリ４との間のデータ転送レートよりも、バッファメモリ４とディスクドライブ５の間のデータ転送レートの方が高速になっている。ディスクドライブ５としてDVD-RAMドライブを、光ディスク１２としてDVD-RAMディスクを想定すると、DVD-RAMに記録するMPEG信号のデータレートは規格上では最大１０Ｍｂｐｓ程度であるため、記録制御部３および再生制御部６とバッファメモリ４の間のデータ転送レートも１０Ｍｂｐｓ程度となる。一方、DVD-RAM version２に対応したDVD-RAMドライブの転送レートは約２２Ｍｂｐｓ程度なので、バッファメモリ４とディスクドライブ５の間のデータ転送レートは２２Ｍｂｐｓ以上のデータ転送レートとなっている。したがって、ディスクドライブ５からバッファメモリ４へ間欠的に信号を読み出してもバッファメモリ４から再生制御部６へは時間的に連続して信号が送られるため、再生信号の時間的連続性を確保することが出来る。そして、ディスクドライブ５から信号を間欠的に読み出して再生を続けながら、間欠的な読み出しの隙間を利用して光ディスク１２に対して信号を記録することも可能である。
【００１５】
以上のように構成されたデジタル信号記録再生装置における動作について以下に説明する。記録時には、ユーザーは操作パネル１１の記録ボタンを押下する。操作パネル１１の記録ボタンが押下されると、記録ボタンが押下された情報がCPU１０に伝わり、それを認識したCPU１０は記録制御部３に対して記録開始の指令を送る。記録開始指令を受けた記録制御部３は、MPEGエンコーダ２からのMPEG信号に記録開始時間やコンテンツIDや記録開始時のタイムコードと光ディスク１２上の記録アドレスの対応を表す検索情報といった管理情報を付加してバッファメモリ４を介してディスクドライブ５に送り、その信号を光ディスク１２上の指定したアドレスに記録するようにディスクドライブ５を制御する。記録停止時には、ユーザーは操作パネル１１の停止ボタンを押下する。操作パネル１１の停止ボタンが押下されると、停止ボタンが押下された情報がCPU１０に伝わり、それを認識したCPU１０は記録制御部３に対して記録停止の指令を送る。記録停止指令を受けた記録制御部３は、ディスクドライブ５に対するMPEG信号記録を停止すると同時に、記録停止時間などの管理情報を作成して、その管理情報を光ディスク１２に記録するようにディスクドライブ５を制御する。
【００１６】
次に以上のようにして記録したコンテンツを再生する場合における動作を説明する。図２は再生動作ステップを表すフローチャートである。まずユーザーは操作パネル１１の正方向再生ボタンを押下する。操作パネル１１の正方向再生ボタンが押下されると、正方向再生ボタンが押下された情報がCPU１０に伝わり、それを認識したCPU１０は再生制御部６に対して通常再生開始の指令を送る。ここでいう通常再生とは、ユーザーが通常に視聴している再生状態の事を差す。ユーザーが正方向１倍速再生で視聴するのが一般的であるが、１倍速よりも少し速度を変更した１．２倍速の早見再生や０．８倍速の遅見再生の機能も実用化されており、これらの１倍速以外の速度でユーザーが通常に視聴している場合は、１倍速以外の速度でも通常再生と呼ぶこととする。通常再生開始指令を受けた再生制御部６は、通常再生の速度で光ディスク１２から信号を読み出すようにディスクドライブ５およびバッファメモリ４を制御する。そして再生された信号は、先に述べたように再生制御部６でMPEGフォーマットに変換され、MPEGデコーダ７でMPEGデコードされ、AVデコーダ８でアナログ映像音声信号に変換され、AV出力端子９から出力され、ユーザーはその出力されたアナログ映像音声信号をモニタ画面（図示せず）などに表示させて視聴することができる。以上が図２のステップＳＴ２１に相当する再生開始動作である。
【００１７】
この時ユーザーは、番組本編などの自分が見たいと思っている部分は通常再生で視聴するが、CMのような本編以外の部分などの自分が見たくないと思った部分については、早送り再生などの特殊再生で視聴する。これは図２のステップＳＴ２２に相当する動作である。ここでいう特殊再生とは、先に述べた通常再生以外の再生状態の総称であり、必ずしもユーザーが再生映像音声を視聴できる状態とは限らない。即ち、信号再生位置を一定時間（例えば３０秒）スキップさせるような動作も含まれる。具体的な動作を説明すると、まずユーザーは操作パネル１１の早送り再生ボタンを押下する。すると、早送り再生ボタンを押下された情報がCPU１０に伝わり、それを認識したCPU１０は、再生制御部６に対して早送り再生開始の指令を送る。早送り再生開始指令を受けた再生制御部６は、ディスクドライブ５から管理情報の特殊再生情報（MPEGのI,Pピクチャのアドレスなど）を読み出し、その情報を元に特殊再生用の信号をディスクドライブ５から読み出す。またこの時に、CPU１０は特殊再生が開始された時点の再生信号のタイムコードと光ディスク１２上のアドレスの情報を再生制御部６から得る。そしてCPU１０は、特殊再生開始点のタイムコード、光ディスク１２上のアドレス情報、特殊再生開始を表すフラグの３つの情報を特殊再生開始点を表す第１の変化点情報Ａとして記録制御部３に送り、管理情報としてディスクドライブ５の中の光ディスク１２に記録するように記録制御部３を制御する。CPU１０からの制御に従って記録制御部３は、第１の変化点情報Ａをバッファメモリ４を介してディスクドライブ５の中の光ディスク１２へ管理情報の一部として記録する。即ち記録制御部３とバッファメモリ４とディスクドライブ５とCPU１０で変化点情報記録手段を構成している。これが図２のステップＳＴ２３に相当する動作である。ディスクドライブ５からの再生信号をバッファメモリ４を介して受け取った再生制御部６は、再生信号の中から管理情報を削除してMPEGフォーマットに変換したデータをMPEGデコーダ７に出力する。MPEGデコーダ７は再生制御部６からのMPEG信号をMPEGデコードしてAVデコーダ８に送る。AVデコーダ８はMPEGデコーダ７からのデジタル信号をアナログ映像音声信号に変換してAV出力端子９から出力する。
【００１８】
次にユーザーは、CMが終了して再び番組本編が始まった時点など、自分が見たいと思う部分になると特殊再生を終了して再び通常再生に戻して視聴を続ける。具体的な動作を説明すると、まずユーザーが操作パネル１１の正方向再生ボタンを押下する。これは図２のステップＳＴ２４に相当する動作である。すると、正方向再生ボタンを押下された情報がCPU１０に伝わり、それを認識したCPU１０は、再生制御部６に対して通常再生開始の指令を送る。通常再生開始指令を受けた再生制御部６は、ディスクドライブ５から通常再生の速度で信号を読み出すようにディスクドライブ５およびバッファメモリ４を制御する。またこの時に、CPU１０は通常再生が開始された時点の再生信号のタイムコードと光ディスク１２上のアドレスの情報を再生制御部６から得る。そしてCPU１０は、通常再生開始点のタイムコード、光ディスク１２上のアドレス情報、通常再生開始を表すフラグの３つの情報を通常再生開始点を表す第２の変化点情報Ｂとして記録制御部３に送り、管理情報としてディスクドライブ５の中の光ディスク１２に記録するように記録制御部３を制御する。CPU１０からの制御に従って記録制御部３は、第２の変化点情報Ｂをバッファメモリ４を介してディスクドライブ５の中の光ディスク１２へ管理情報の一部として記録する。これが図２のステップＳＴ２５に相当する動作である。ディスクドライブ５からの再生信号をバッファメモリ４を介して受け取った再生制御部６は、再生信号の中から管理情報を削除してMPEGフォーマットに変換したデータをMPEGデコーダ７に出力する。MPEGデコーダ７は再生制御部６からのMPEG信号をMPEGデコードしてAVデコーダ８に送る。AVデコーダ８はMPEGデコーダ７からのデジタル信号をアナログ映像音声信号に変換してAV出力端子９から出力する。
【００１９】
以上の動作を再生が停止するまで繰り返す。（図２のステップＳＴ２６。）以上の動作により、ユーザーは視聴する際に自分が見たい部分は通常再生で視聴し、CMなどの不要な部分は特殊再生で飛ばして視聴するだけで、記録メディアには自動的に必要な部分と不要な部分の変化点を表す変化点情報が記録されることになる。以上の動作をした場合の記録コンテンツの様子を表した模式図が図３である。図３において、ユーザーが通常再生→特殊再生→通常再生→特殊再生→通常再生と再生モードを変化させながら記録コンテンツを視聴すると、ユーザーが意識的にマーカー信号を記録するという操作をしていないにも関わらず、変化点情報Ａ１および変化点情報Ｂ１および変化点情報Ａ２および変化点情報Ｂ２という４つの変化点情報が記録されており、これらの変化点情報により記録コンテンツはチャプター３１およびチャプター３２およびチャプター３３およびチャプター３４およびチャプター３５という５つのチャプターに分けることができる。そして、これら５つのチャプターの中で、特殊再生が行われた区間であるチャプター３２およびチャプター３４は不要な部分であるという認識も可能である。
【００２０】
次に、以上の動作で記録した変化点情報の有効な利用方法を以下に説明する。
まず変化点情報の第１の利用方法としては、不要な部分の信号を光ディスク１２から削除することである。これにより、有限な光ディスク１２の記録容量をより有効に利用することが出来る。具体的動作は、まず、CPU１０は光ディスク１２に記録された管理情報を読み出すようディスクドライブ５を制御する。次にCPU１０は、読み出した管理情報の中から変化点情報Aとそこから時間的に後で一番タイムコードの近い変化点情報Ｂを検索し、この変化点情報Ａのタイムコードと変化点情報Ｂのタイムコードの間の区間の信号を消去するように記録制御部３に消去指令を送る。消去指令を受けた記録制御部３は、指定されたタイムコードの区間の信号を消去するようにディスクドライブ５を制御する。なお、この不要な部分を削除する処理を実行するタイミングとしては、ユーザーが再生を停止した時や、専用のユーザーインターフェースが操作された時（例えば、操作パネル１１の消去ボタンを押下した時）など、様々なケースが考えられる。
【００２１】
次に変化点情報の第２の利用方法としては、次回にもう１度再生を行う場合に、必要な部分のみを再生することである。具体的な方法は、まずユーザーが操作パネル１１の正方向再生ボタンを押下して通常再生を開始する。この時CPU１０は、光ディスク１２に記録された管理情報を読み出すようディスクドライブ５を制御する。実際に再生が行われるまでの動作は先に記述した通りなので説明は省略する。通常再生が行われている間は、CPU１０は再生信号のタイムコードを監視続ける。そして変化点情報Ａのタイムコードまで再生が行われた時点で、この変化点情報Ａのタイムコードから時間的に後で１番近いタイムコードの変化点情報Ｂのタイムコードから再生を行うように再生制御部６に指令を送る。再生制御部６は指示されたタイムコードから再生するようにディスクドライブ５を制御する。
【００２２】
ユーザーが通常再生から特殊再生に操作する場合、または、通常再生から特殊再生に操作する場合には、必ずしも一度の操作で操作が完了するとは限らない。この様子を図４を用いて説明する。図４は、ユーザーが早送り再生の特殊再生から通常再生に操作する場合の操作を説明するタイミング図である。まずユーザーはCM部分を特殊再生である早送り再生Ａで視聴している。時間t41の地点でCMが終わって番組本編が始まったことをユーザーは認識して、早送り再生Ａから通常再生Ｂに再生モードを変化させる操作を行う。この時、ユーザー操作のタイムラグなどで正確に時間t41で早送り再生から通常再生に切り換えることはできないので、実際に通常再生で視聴を開始する時間はt42となる。ユーザーは本来ならば時間t41から番組本編を視聴したかったのであるから、ユーザーは時間t41から視聴するために今度は通常再生Ｂから逆方向再生Ｃに再生モードを変化させる操作を行う。この時間がt43である。そして番組本編が始まる時間t41で再びユーザーは逆方向再生Ｃから通常再生Ｄに再生モードを変化させる操作を行い通常再生Ｄが開始される。このような動作が行われた場合、通常再生と特殊再生の変化点としては、早送り再生Ａから通常再生Ｂへの変化点の時間t42と、通常再生Ｂから逆方向再生Ｃへの変化点の時間t43と、逆方向再生Ｃから通常再生Ｄへの変化点の時間t41という３つの変化点が存在する。しかしユーザーにとって有益な変化点は、不要部分であるCMと必要部分である番組本編との変化点であるt41のみであり、t42およびt43は不要な変化点である。このような場合は、通常再生Ｂが行われていた時間（t43−t42）は非常に短い時間である。一般的なユーザーであれば２，３秒以内には通常再生Ｂから逆方向再生Ｃに再生モードを変化させると考えられる。そこで、通常再生が行われた時間を計測して、その通常再生が行われた時間がある閾値以下の場合は、その通常再生の開始と終了の変化点情報は記録メディアに記録しないような制御を行うことで、ユーザーにとって有益な変化点であるt41だけを記録メディアに記録することが可能である。
【００２３】
以下に具体的な方法について説明する。図５はユーザーにとって有益な変化点のみを記録メディアに記録する方法を表したフローチャートである。まず図４における早送り再生Ａの状態は図５のステップＳＴ５１に相当する。図４における早送り再生Ａから通常再生Ｂに再生モードを変化させるために、ユーザーは操作パネル１１の正方向再生ボタンを押下する。これは図５のステップＳＴ５２に相当する動作である。すると、正方向再生ボタンを押下された情報がCPU１０に伝わり、それを認識したCPU１０は、再生制御部６に対して通常再生開始の指令を送る。通常再生開始指令を受けた再生制御部６は、ディスクドライブ５から通常再生の速度で信号を読み出すようにディスクドライブ５およびバッファメモリ４を制御する。またこの時に、CPU１０は通常再生が開始された時点の再生信号のタイムコードと光ディスク１２上のアドレスの情報を再生制御部６から得る。そしてCPU１０は、通常再生開始点のタイムコード、光ディスク１２上のアドレス情報、通常再生開始を表すフラグの３つの情報を通常再生開始点を表す変化点情報ＣとしてCPU１０に接続されたメモリ１３に記憶すると同時にその時点のCPU１０内部のカウンタを０からカウントアップするようにセットする。これが図５におけるステップＳＴ５３に相当する動作である。このカウンタはCPU１０が持つ汎用の内部カウンタで、そのカウント周期Ｎはあらかじめ分かっているものとする。そして、通常再生が継続している間は定期的（例えば１秒周期）にこのカウンタ値のＴｃを読み出して、通常再生が継続されている時間が、あらかじめ設定してあった通常再生継続時間の閾値Ｔｓ（たとえばＴｓ＝５秒）を越えたかどうか監視する。即ち、Ｔｃ×Ｎ＞Ｔｓとなるかどうかを定期的に監視する。これが図５におけるステップＳＴ５４に相当する動作である。
【００２４】
Ｔｃ×Ｎ＞Ｔｓとなる以前に、通常再生Ｂから逆方向再生Ｃに切り換えるために、ユーザーが操作パネル１１の逆方向再生ボタンを押下したとする。これは図５におけるステップＳＴ５５に相当する動作である。すると、逆方向再生ボタンを押下された情報がCPU１０に伝わり、それを認識したCPU１０は、再生制御部６に対して逆方向再生開始の指令を送る。逆方向再生開始指令を受けた再生制御部６は、ディスクドライブ５から管理情報の特殊再生情報（MPEGのI,Pピクチャのアドレスなど）を読み出し、その情報を元に逆方向再生用の信号をディスクドライブ５から読み出すようにディスクドライブ５およびバッファメモリ４を制御する。そしてこの時点では、通常再生から特殊再生である逆方向再生へ変化したにもかかわらず、変化点情報は光ディスク１２に記録しない。またステップＳＴ５３の処理でメモリ１３に記憶していた変化点情報Ｃを光ディスク１２に記録することなくメモリ１３から消去する。なぜなら、この時点ではＴｃ×Ｎ≦Ｔｓであることから、通常再生が継続していた時間が非常に短いため、この通常再生された区間を識別するためのマーカー信号の記録は、ユーザーにとって不要であると判断したためである。これが図５におけるステップＳＴ５６に相当する動作である。
【００２５】
次に、逆方向再生Ｃから通常再生Ｄに切り換えるために、ユーザーは操作パネル１１の正方向再生ボタンを押下する。これは図５におけるステップＳＴ５２に相当する動作である。すると、正方向再生ボタンを押下された情報がCPU１０に伝わり、それを認識したCPU１０は、再生制御部６に対して通常再生開始の指令を送る。通常再生開始指令を受けた再生制御部６は、ディスクドライブ５から通常再生の速度で信号を読み出すようにディスクドライブ５およびバッファメモリ４を制御する。またこの時に、CPU１０は通常再生が開始された時点の再生信号のタイムコードと光ディスク１２上のアドレスの情報を再生制御部６から得る。そしてCPU１０は、通常再生開始点のタイムコード、光ディスク１２上のアドレス情報、通常再生開始を表すフラグの３つの情報を通常再生開始点を表す変化点情報ＤとしてCPU１０に接続されたメモリ１３に記憶すると同時にその時点のCPU１０内部のカウンタを０からカウントアップするようにセットする。これが図５におけるステップＳＴ５３に相当する動作である。そして、前に説明した早送り再生Ａから通常再生Ｂに切り換える場合と同様に、通常再生が継続している間は定期的にこのカウンタ値のＴｃを読み出して、Ｔｃ×Ｎ＞Ｔｓとなるかどうかを監視する。これが図５におけるステップＳＴ５４に相当する動作である。そして、Ｔｃ×Ｎ＞Ｔｓとなった時点でこの通常再生された区間はユーザーにとって必要な部分であると判断して、CPU１０はメモリ１３に記憶していた変化点情報Ｄを記録制御部３に送り、管理情報としてディスクドライブ５の中の光ディスク１２に記録するように記録制御部３を制御する。これが図５におけるステップＳＴ５７に相当する動作である。変化点情報Ｄを光ディスク１２に記録した後はメモリ１３に記憶してあった変化点情報Ｄは消去する。その後、再びユーザーが通常再生から特殊再生に再生モードを変化させた場合は、その変化点情報は光ディスク１２に記録する。これが図５のステップＳＴ５８およびＳＴ５９に相当する動作である。
【００２６】
なお、Ｔｃ×Ｎ＞Ｔｓとなる前に通常再生から特殊再生に変化した場合には、先に説明した通常再生Ｂから特殊再生Ｃへの変化の場合と同様に変化点情報Ｄを光ディスク１２に記録することなくメモリ１３から消去する。
【００２７】
また、Ｔｃ×Ｎ＝Ｔｓであった場合は、本実施の形態では変化点情報Ｃを光ディスク１２に記録していないが、変化点情報Ｃを光ディスク１２に記録した場合、つまり、変化点情報を光ディスク１２に記録するか否かの判断を行うための、ステップＳＴ５４における判断条件をＴｃ×Ｎ≧Ｔｓとした場合であっても、Ｔｓの値を適切に選択すれば同様の効果が得られる。
【００２８】
なお本実施の形態においては、特殊再生開始点を表す変化点情報Ａに特殊再生開始を表すフラグを入れていた。そして、通常再生開始点を表す変化点情報Ｂにも通常再生開始を表すフラグを入れていた。しかし、これらのフラグ情報は必ずしも必要ではない。特殊再生の開始および通常再生の開始が区別できなくても、特殊再生と通常再生の変化点のタイムコードで区切られたチャプターを一覧形式でユーザーに提示するユーザーインターフェースを用意して、そのチャプターの中からユーザーに必要な部分と不要な部分を選択させるような使い方も可能である。
【００２９】
また本実施の形態においては、ディスクドライブ５に対して記録と再生が同時に行うことが可能な構成としているが、ディスクドライブ５に対して記録と再生が同時に行えなくてもかまわない。その場合は、再生中に作成した変化点情報Ａおよび変化点情報ＢをCPU１０に接続されたメモリ１３に記憶しておき、再生が終了してからメモリ１３に記憶してあった変化点情報Ａおよび変化点情報Ｂを光ディスク１２に記録する処理を行えばよい。
【産業上の利用可能性】
【００３０】
本発明にかかるデジタル信号記録再生装置は、再生時にユーザーが通常再生と特殊再生の再生モード切替操作を行うだけで、記録コンテンツの必要な部分と不要な部分の変化点を識別する変化点情報を記録する事ができ、容易な操作で記録したコンテンツのなかの不要部分を識別したい用途に適用できる。
【図面の簡単な説明】
【００３１】
【図１】本発明の実施の形態に於けるデジタル信号記録再生装置の構成を示したブロック図
【図２】本発明の実施の形態に於けるデジタル信号記録再生装置の動作を示したフローチャート
【図３】本発明の実施の形態に於けるデジタル信号記録再生装置の動作による記録コンテンツを示す模式図
【図４】特殊再生から通常再生へのユーザー操作を示すタイミング図
【図５】本発明の実施の形態に於けるデジタル信号記録再生装置の動作を示したフローチャート
【図６】従来のデジタル信号記録再生装置の動作による記録コンテンツを示す模式図
【符号の説明】
【００３２】
１  チューナー
２  MPEGエンコーダ
３  記録制御部
４  バッファメモリ
５  ディスクドライブ
６  再生制御部
７  MPEGデコーダ
８  AVデコーダ
９  AV出力端子
１０  CPU
１１  操作パネル
１２  光ディスク
１３  メモリ
【図１】
2005348378.tif 000003
【図２】
2005348378.tif 000004
【図３】
2005348378.tif 000005
【図４】
2005348378.tif 000006
【図５】
2005348378.tif 000007
【図６】
2005348378.tif 000008